(57)【要約】【課題】  本発明の課題は、２つの片を接着することによって下面壁が形成されている包装ケースにおいて、その接着部分が剥がれ難く改良することである。【解決手段】  本発明の包装ケース１は、シート材を組み立てて形成されており、正面壁２と背面壁３を有する筒状壁４と、前記筒状壁４の下方開口を塞ぐ下面壁６と、を有し、前記下面壁６が、前記正面壁２の下辺に連設された第１下面片７と、前記背面壁３の下辺に連設された第２下面片８と、から形成され、前記第２下面片８の面内には、その中途部８ｃから連設部８ｄ側に膨らむ有端状の切り目９２が形成され、前記筒状壁４を扁平状に折り畳んだ状態において、前記切り目９２で囲われた領域８１の外面と前記第２下面片８の中途部８ｃから先端部８ｅまでの領域８２の外面とが前記第１下面片７の外面に接着されている。【選択図】  図６
2011068376.tif 000002
【特許請求の範囲】
【請求項１】
シート材を組み立てて形成されており、
正面壁と背面壁を有する筒状壁と、前記筒状壁の下方開口を塞ぐ下面壁と、を有し、
前記下面壁が、前記正面壁又は背面壁の何れか一方の下辺に連設され且つ内側へ折り曲げられた第１下面片と、前記背面壁又は正面壁の何れか他方の下辺に連設され且つ内側に折り曲げられた第２下面片と、から形成され、
前記正面壁と背面壁の内面同士が重なるように前記筒状壁を扁平状に折り畳んだ状態において、前記第１下面片の外面と第２下面片の外面が重なり且つ前記第２下面片の中途部から先端部までの領域が第１下面片の外面に接着されている包装ケースであって、
前記第２下面片の面内には、前記第２下面片の中途部から連設部側に膨らむような有端状の切り目が形成され、前記切り目で囲われた領域の外面と前記第２下面片の中途部から先端部までの領域の外面とが前記第１下面片の外面に接着されていることを特徴とする包装ケース。
【発明の詳細な説明】
【技術分野】
【０００１】
本発明は、２つの片を接着することによって下面壁が形成されている包装ケースに関する。
【背景技術】
【０００２】
従来、合成樹脂製シートなどのシート材を組み立てた包装ケースは、様々な形態のものが知られている。
シート材を組み立てた包装ケースは、通常、不使用時に、扁平状に折り畳むことができ、使用時に（物品を入れるとき）、筒状に開くことができるようになっている。
また、シート材を組み立てた包装ケースは、通常、適宜の形状に打ち抜いた１枚のシート材の各片を接着する及び／又は係合するなどによって形成される。
【０００３】
このような包装ケースとして、図１４〜図１６に示すようなものが知られている。
かかる包装ケース１００は、正面壁２００と背面壁３００を有する筒状壁４００と、筒状壁４００の上方開口を塞ぐ上面壁５００と、筒状壁４００の下方開口を塞ぐ下面壁６００と、から主として構成されている。
この下面壁６００は、正面壁２００の下辺に連設され且つ内側へ折り曲げられた第１下面片７００と、背面壁３００の下辺に連設され且つ内側に折り曲げられた第２下面片８００と、から形成されている。
【０００４】
この包装ケース１００は、図１７に示すように、前記筒状壁４００を扁平状に折り畳んだ状態において、第１下面片７００の内面が正面壁２００の内面に重なり且つ第２下面片８００の内面が背面壁３００の内面に重なると共に、この第１下面片７００と第２下面片８００の外面同士が重なっている。そのうち、第２下面片８００の中途部から先端部までの領域（前領域８２０）の外面が、第１下面片７００の外面に接着されることによって、下面壁６００が形成されている。なお、第２下面片８００の中途部から連設部までの領域（後領域８３０）の外面は、第１下面片７００の外面に接着されていない。
【０００５】
このように第１下面片７００の外面と第２下面片８００の前領域８２０の外面が接着された、扁平状の筒状壁４００を筒状に開くと、第１下面片７００及び第２下面片８００が正面壁２００及び背面壁３００の内面からそれぞれ離反しながら起立すると同時に、第２下面片８００がその中途部において外向きに折れ曲がる。
最終的には、図１６に示すように、第１下面片７００が正面壁２００の内面に対して略直角状に起立して筒状壁４００の下方開口を塞ぐと共に、第２下面片８００がその中途部全体に渡って折れ曲がり（第２下面片８００の前領域８２０と後領域８３０の境界（中途部）において、幅方向に直線状に延びる折り目Ｘが生じる）、第２下面片８００の前領域８２０と後領域８３０が合掌状に重なって前記第１下面片７００の下方を支持する。
【発明の概要】
【発明が解決しようとする課題】
【０００６】
しかしながら、上記包装ケース１００は、扁平状の筒状壁４００を筒状に開いたときに、第２下面片８００の中途部全体において折り目Ｘが生じるので、第１下面片７００に接着された前領域８２０が剥離し易いという問題点がある。
すなわち、第２下面片８００の中途部全体で折れ曲がると、第２下面片８００の前領域８２０が反り返るため、前記折り目Ｘを起点にして前領域８２０の接着部分がピール剥離を生じ易い。
かかる従来構造の包装ケース１００は、その内部に物品を収納して流通に供している間に、下面壁６００が破損して物品が抜け落ちるおそれがある。
【０００７】
本発明の目的は、２つの片を接着することによって下面壁が形成されている包装ケースにおいて、その接着部分が剥がれにくい構造を提供することである。
【課題を解決するための手段】
【０００８】
本発明の包装ケースは、シート材を組み立てて形成されており、正面壁と背面壁を有する筒状壁と、前記筒状壁の下方開口を塞ぐ下面壁と、を有し、前記下面壁が、前記正面壁又は背面壁の何れか一方の下辺に連設され且つ内側へ折り曲げられた第１下面片と、前記背面壁又は正面壁の何れか他方の下辺に連設され且つ内側に折り曲げられた第２下面片と、から形成され、前記正面壁と背面壁の内面同士が重なるように前記筒状壁を扁平状に折り畳んだ状態において、前記第１下面片の外面と第２下面片の外面が重なり且つ前記第２下面片の中途部から先端部までの領域が第１下面片の外面に接着されている包装ケースであって、前記第２下面片の面内には、前記第２下面片の中途部から連設部側に膨らむような有端状の切り目が形成され、前記切り目で囲われた領域の外面と前記第２下面片の中途部から先端部までの領域の外面とが前記第１下面片の外面に接着されている。
【０００９】
上記本発明の包装ケースにおいては、扁平状に折り畳まれた筒状壁を筒状に開くと、第１下面片が平坦面状のままで正面壁の内面から離反しながら起立すると同時に、第２下面片が、その中途部において外向きに折れ曲がりながら起立する。
この第２下面片の面内には、中途部から連設部側に膨らんだ有端状の切り目が形成され、この第２下面片は、その中途部から先端部までの領域だけでなく、切り目で囲われた領域の外面も第１下面片の外面に接着されている。
このため、中途部から先端部までの領域及び切り目で囲われた囲い領域が、折れ曲がらずに第１下面片に沿って平坦面状のままである一方、前記切り目で囲われた領域を除いた領域は、中途部において第１下面片に対して鋭角状に折れ曲がる。
よって、第２下面片の中途部全体において第２下面片が折れ曲がらず、第２下面片の接着部分がピール剥離を生じ難い。
【００１０】
本発明の好ましい包装ケースは、前記切り目で囲われた領域を除いて、前記第２下面片の中途部に、第２下面片の幅方向に延びる折り罫線が形成されている。
【発明の効果】
【００１１】
本発明の包装ケースは、下面壁が第１下面片及び第２下面片を接着することによって形成されており、第１下面片と第２下面片の接着部分が剥がれ難い。
かかる包装ケースは、その筒状壁内に物品を収納して流通に供している間に、物品が抜け落ちることを防止できる。
【図面の簡単な説明】
【００１２】
【図１】本発明の１つの実施形態に係る包装ケースを背面側から見た斜視図。
【図２】同包装ケースの下面図。
【図３】図２のＩＩＩ−ＩＩＩ線で切断した上部省略断面図。
【図４】図２のＩＶ−ＩＶ線で切断した上部省略断面図。
【図５】同包装ケースを扁平状に折り畳んだ状態の背面図（図中、一点鎖線は、折り罫線を表す）。
【図６】図５のＶＩ−ＶＩ線で切断した拡大断面図。
【図７】図５のＶＩＩ−ＶＩＩ線で切断した拡大断面図。
【図８】同包装ケースを形成するシート材の展開図（図中、一点鎖線は、折り罫線を表す）。
【図９】図８の一部分の拡大図。
【図１０】本発明の他の実施形態に係る包装ケースを形成するシート材の展開図（図中、一点鎖線は、折り罫線を示す）。
【図１１】図１０のシート材から形成された包装ケースの下面図。
【図１２】図１１のＸＩＩ−ＸＩＩ線で切断した上部省略断面図。
【図１３】図１１のＸＩＩＩ−ＸＩＩＩ線で切断した上部省略断面図。
【図１４】従来の包装ケースの斜視図。
【図１５】従来の包装ケースの下面図。
【図１６】図１５のＸＶＩ−ＸＶＩ線で切断した上部省略断面図。
【図１７】従来の包装ケースを扁平状に折り畳んだ状態の上部省略断面図。
【発明を実施するための形態】
【００１３】
以下、本発明の好ましい実施形態について、図面を参照しつつ具体的に説明する。なお、各部の用語の接頭語として、第１、第２などを付す場合があるが、該接頭語は、用語を区別するために付加されたものであり、各部の順序や優劣などを意味しない。また、包装ケースを構成する各壁を区別するため、正面壁、背面壁、上面壁及び下面壁と呼ぶが、正面、背面、上面及び下面は、特定の方向を意味しない。
【００１４】
図１〜図４は、シート材を組み立てて形成された包装ケース１を示す。図５〜図７は、前記包装ケース１を扁平状に折り畳んだ状態を表している。図８及び図９は、包装ケース１を形成するシート材の展開図である。
図５に示す扁平状に折り畳んだ包装ケース１（筒状体４）を、筒状に開くことにより、図１〜図４に示す包装ケース１が得られる。
この包装ケース１は、正面壁２及び背面壁３を有する筒状壁４と、前記筒状壁４の上方開口を塞ぐ上面壁５と、前記筒状壁４の下方開口を塞ぐ下面壁６と、を有する。
包装ケース１は、下面壁６を下にして自立させることができる。
【００１５】
包装ケース１の筒状壁４の内部には、図１に示すように、物品１０が収納される。物品１０は、その下面が包装ケース１の下面壁６の上に接した状態で、筒状壁４内に収納される。
【００１６】
筒状壁４の正面壁２は、平坦面とされており、筒状壁４の背面壁３は、円弧面（又は多角形面）とされている。このように筒状壁４が円弧面状又は多角面状の背面壁３を有する筒状体であれば、物品１０を筒状壁４の幅方向略中央部に収納できるので好ましい。従って、幅方向に位置ズレを起こすことなく、筒状壁４内に物品１０を収納できる。
【００１７】
包装ケース１を形成するシート材は、特に限定されず、従来公知のシートを用いることができる。
シート材としては、例えば、合成樹脂製シート、金属蒸着層を有する合成樹脂製シート、厚紙、及びこれらの積層シートなどが挙げられる。
好ましくは、シート材としては、合成樹脂製シートを含むシートが用いられ、より好ましくは、合成樹脂製シート（２枚以上の合成樹脂製シートが積層された合成樹脂製積層シートを含む）が用いられる。合成樹脂製シートの材質としては、例えば、ポリプロピレン、ポリエチレンなどのポリオレフィン系、ポリエチレンテレフタレートなどのポリエステル系、ポリスチレン系、ポリアミド系などが挙げられる。特に、耐屈曲性（ヒンジ特性）に優れていることから、ポリプロピレン製シート、又はポリプロピレン製シートが積層された積層シートが好ましい。
【００１８】
また、シート材は、透明性に優れたシートを用いることが好ましい。該透明性に優れたシートとしては、全光線透過率が７０％以上のシートが好ましく、より好ましくは８０％以上であり、さらに好ましくは９０％以上である。ただし、全光線透過率は、ＪＩＳ Ｋ７１０５（プラスチックの光学的特性試験方法）に準拠した測定法によって測定される値をいう。
【００１９】
上記シート材は、無色であることが好ましいが、透明性を損なわない範囲で着色されていてもよい。
シート材の厚みは、特に限定されないが、好ましくは０．２ｍｍ〜１．０ｍｍ程度である。
ポリプロピレン製シートを用いる場合には、適度な剛性を有することから、シート材の厚みは、０．２ｍｍ〜０．６ｍｍが好ましい。
【００２０】
筒状壁４の内部に収納される物品１０の形状は特に限定されない。例えば、円筒状の胴部を有する物品、四角筒状の胴部を有する物品など任意である。
また、物品の具体例としては、略円筒状容器に入れられた化粧品、文房具、容器に包装された菓子、おもちゃ、スプレー缶、乾電池などが挙げられる。
【００２１】
筒状壁４は、平坦面とされた正面壁２と、円弧面（又は多角面）とされた背面壁３と、を有する筒状体である。該筒状壁４の上方は、上方開口を有し、且つ、筒状壁４の下方は、下方開口を有する。
正面壁２は、所定幅の矩形状シート片から形成されている。
なお、正面壁２の上方には、ヘッダー片７４が延設されている。該ヘッダー片７４の面内の中央部には、吊下げ孔が形成されている。
【００２２】
背面壁３は、正面壁２の幅よりも幅広の矩形状シート片から形成されている。
背面壁３の両側辺は、幅方向と直交する方向に形成された第１折り罫線１ａ及び第２折り罫線２ａを介して、正面壁２の両側辺に連設されている。両側辺が正面壁２に連設され且つ幅広の矩形状シート片から形成された背面壁３は、外側へ膨らんだ円弧面（又は多角面）となる。
【００２３】
ここで、上記包装ケース１は、図８及び図９に示すシート材１１から形成できる。図８及び図９において、シート材１１に、包装ケース１の各部に対応する符号を付している。
４１は、背面壁３の一方の側辺に連設された糊代片を示す。該糊代片４１を正面壁２の他側部に接着することによって、筒状壁４が形成される。
３ａ，４ａは、第１折り罫線１ａ及び第２折り罫線２ａの近傍に且つこれと平行に形成された第３折り罫線及び第４折り罫線を示す。包装ケース１内に物品１０を収納しないとき、該第３折り罫線３ａ及び第４折り罫線４ａにおいて背面壁３を折り曲げることによって背面壁３が平坦面となるため、筒状壁４を扁平状に折り畳むことができる（図５〜図７参照）。
また、扁平状の筒状壁４の内部に物品１０を収納して筒状壁４を筒状に開いたときには、折り罫線３ａ，４ａで背面壁３が鈍角状に折れ曲がるので、背面壁３は、該折り罫線３ａ，４ａにおいて鈍角部を有する円弧面（又は多角面）となる（図１〜図４参照）。
【００２４】
なお、図８において、第３折り罫線３ａと第４折り罫線４ａの間における背面壁３の面内には、２本の折り罫線が形成されているが、この２本の折り罫線は、形成されていても或いは形成されていなくても、効果的に変わらない。
【００２５】
上記筒状壁４の上方開口を塞ぐため、該上方開口に、上面壁５が嵌められている。
上面壁５は、平面視略台形状に形成されている。なお、本明細書において、平面視形状は、面に対して垂直な方向から見た形状をいう。
好ましくは、上面壁５は、一方の斜辺と下底との成す角及び他方の斜辺と下底との成す角（下底の両側部に形成される２つの内角）が、いずれも鋭角である台形状に形成される。より好ましくは、上面壁５は、図１及び図８に示すように、等脚台形状に形成されている。
【００２６】
略台形状の上面壁５は、その上底を背面壁３側に向けて配置され、且つその下底を正面壁２側に向けて配置されている。
上面壁５は、好ましくは、その上底を背面壁３の略中央部に向けて配置されている。このように上面壁５が配置されていることによって、背面壁３は、その略中央部が最も外側へ膨らんだ円弧面形状となる。従って、背面壁３の幅方向略中央部に物品１０を保持することができる。
【００２７】
具体的には、上面壁５の上底は、第５折り罫線５ａを介して背面壁３の上辺の略中央部に連設されている。上底に沿って形成された第５折り罫線５ａにおいて上面壁５を折り曲げることによって、上面壁５が筒状壁４の上方開口に嵌められ、該上方開口を塞いでいる。
また、上面壁５の一方の斜辺と背面壁３の上辺の一方側の間には、平面視略三角形状の第１連結片７１が第６折り罫線６ａ及び第８折り罫線８ａを介して連設されている。上面壁５の他方の斜辺と背面壁３の上辺の他方側の間には、同様に平面視略三角形状の第２連結片７２が第７折り罫線７ａ及び第９折り罫線９ａを介して連設されている。第１連結片７１及び第２連結片７２は、上面壁５の両斜辺に沿って形成された各折り罫線６ａ，７ａ及び背面壁３の上辺の両方側に沿って形成された各折り罫線８ａ，９ａを介してそれぞれ折り曲げ可能である。
【００２８】
上記第１連結片７１及び第２連結片７２は、上面壁５を筒状壁４の上方開口に嵌めたときに、上面壁５の両斜辺と背面壁３の上辺の両方側の間に生じる隙間を閉塞すると共に、背面壁３の内面を外側へ押圧する片である。
具体的には、上面壁５を折り曲げたとき、上記第６折り罫線６ａ及び第７折り罫線７ａにおいて第１連結片７１及び第２連結片７２が上面壁５の外面に対して略直角状に折れ曲がる。かかる第１連結片７１及び第２連結片７２が上面壁５の外面に対して略直角状に折れ曲がることによって、前記背面壁３の内面が前記第１連結片７１及び第２連結片７２によって外側に押し出されている。かかる第１連結片７１及び第２連結片７２によって背面壁３の上方部が補強され、背面壁３の形状（本実施形態では、背面壁３の円弧面（又は多角面）とされた形状）が維持される。
【００２９】
一方、上面壁５の下底には、フラップ片７３が第１０折り罫線１０ａを介して連設されている。
フラップ片７３は、上面壁５を筒状壁４の上方開口に嵌めたときに、第１０折り罫線１０ａにおいて上面壁５の外面に対して約９０度に折り曲げられる。折り曲げられたフラップ片７３は、へッダー片７４に添えられている。
もっとも、フラップ片７３を上面壁５の内面に対して約９０度に折り曲げ、該フラップ片７３が正面壁２の内面に沿わせながら筒状壁４の内部に挿入されていてもよい。
【００３０】
次に、上記筒状壁４の下方開口を塞ぐため、該下方開口に、下面壁６が設けられている。
下面壁６は、前記正面壁２の下辺に連設され且つ内側へ折り曲げられた第１下面片７と、前記背面壁３の下辺に連設され且つ内側に折り曲げられた第２下面片８と、を有する。下面壁６は、この第１下面片７に第２下面片８を接着することにより形成されている。
【００３１】
具体的には、本実施形態の包装ケース１は、平坦面状の正面壁２と円弧面状の背面壁３を有する筒状壁４を有するので、この筒状壁４の形状に対応して、上面壁５が平面視略台形状に形成されており、これに対応して、筒状壁４の下方開口を塞ぐ第１下面片７も平面視略台形状に形成されている。
図８のシート材１１に示すように、この略台形状の第１下面片７の下底が第１１折り罫線１１ａを介して正面壁２の下辺に連設されている。第１下面片７は、前記第１１折り罫線１１ａにおいて、正面壁２の内面側に折り曲げることができる。
この第１下面片７の面内には、この第１１折り罫線１１ａの中央部から正面壁２と反対側に膨らむような有端状の切り目９１（例えば、平面視略コ字状）が形成されている。切り目９１は、第１下面片７を厚み方向全体に切り込んだ切込み線である。前記切り目９１で囲われた部分は、図３及び図４に示すように、下面壁６にて筒状壁４の下方開口を塞いだときに、載置面上に接地する、包装ケース１の脚部３１を構成する。
【００３２】
さらに、第１下面片７の一方の斜辺には、第１２折り罫線１２ａを介して第１フラップ片７６が連設されている。第１下面片７の他方の斜辺には、第１３折り罫線１３ａを介して第２フラップ片７７が連設されている。
第１フラップ片７６及び第２フラップ片７７は、例えば、矩形状、又は、第１下面片７の斜辺を底辺とする略三角形状に形成されている。
【００３３】
上記第１フラップ片７６及び第２フラップ片７７は、筒状体４の下方開口を下面壁７で塞いだときに、第１下面片７の両斜辺と背面壁３の内面の間に生じる隙間を閉塞すると共に、背面壁３の内面を外側へ押圧する片である（図１〜図４参照）。
かかる第１フラップ片７６及び第２フラップ片７７が背面壁３の内面を外側へ押圧することによって、背面壁３の下方部が補強され、背面壁３の形状（本実施形態では、背面壁３の円弧面（又は多角面）とされた形状）が維持される。
【００３４】
図８及び図９に示すように、上記第２下面片８は、例えば、平面視略六角形状に形成されている。筒状壁４を筒状に開くことによって下面壁６を形成したときに、第１下面片７の縁から第２下面片８の一部分が突出しないようにすることが好ましい。このため、第２下面片８の面積は、第１下面片７よりも小さく形成されている。第２下面片８は、背面壁３の下辺の略中央部に、第１４折り罫線１４ａを介して連設されている。
この第２下面片８の面内には、第２下面片８の中途部８ｃから連設部８ｄ側に膨らむような有端状の切り目９２が形成されている。
【００３５】
ここで、本明細書において、第２下面片の中途部とは、第２下面片８の先端部８ｅから連設部８ｄの間の任意の部分を意味し、第２下面片の中間部とは、前記先端部８ｅと連設部８ｄの間の中間部分を意味する。
第２下面片の連設部とは、第２下面片８が筒状壁４に連設された部分を意味し、背面壁３の下辺に第１４折り罫線１４ａを介して第２下面片８が連設されている本実施形態においては、連設部は、第１４折り罫線１４ａに相当する。
また、切り目で囲われた領域とは、非直線状の切り目９２と前記中途部８ｃとで区画される領域を意味する。
以下、切り目で囲われた領域８１を、「囲い領域」という。
また、第２下面片８の中途部８ｃを基準にして、その中途部８ｃから先端部８ｅまでの領域８２を、「前領域」といい、中途部８ｃから連設部８ｄまでの領域８３を「後領域」という。
本明細書において、内面とは、図８に示すように展開したシート材における一方の面を指し、外面とは、内面とは反対側の面を指す。
【００３６】
前記切り目９２は、第２下面片８を厚み方向全体に切り込んだ切込み線である。有端状の切り目９２は、２つの端部を有する切込み線であり、前記２つの端部間は、非直線状である。前記切り目９２の形状は、連設部８ｄ側に膨らむ非直線状であれば特に限定されない。例えば、切り目９２の形状は、第２下面片８の中途部８ｃ上（好ましくは中間部上）に２つの端部（両端部）が位置し且つその両端部間の非直線状の切込み線が後領域８３の面内に形成された、平面視略半円弧線状、又は、平面視略山型線状や平面視略コ字状などの平面視略多角線状などが挙げられる。
【００３７】
前記第２下面片８を中途部８ｃにおいて折り曲げると、後領域８３が前領域８２に対して屈曲するが、囲い領域８１と前領域８２は切り目９２の両端部の間で一体的に繋がっているので、切り目９２において囲い領域８１が後領域８３から離反する（抜け出る）。このため、囲い領域８１は、前領域８２に対して屈曲せず、前領域８２と同一平面上に延出される。
【００３８】
上記包装ケース１は、シート材１１を下記のように組み立てることによって形成されている。
すなわち、第１下面片７が、正面壁２の内面に重なるように第１１折り罫線１１ａにおいて１８０度折り曲げられ、且つ、第２下面片８が、背面壁３の内面に重なるように第１４折り罫線１４ａにおいて１８０度折り曲げられ、さらに、正面壁２と背面壁３の内面同士が重なるように正面壁２を背面壁３の内面側へ第４折り罫線４ａにおいて１８０度折り曲げられている。
このように折り曲げると、第１下面片７の外面と第２下面片８の外面とが重なる。このとき、図６に示すように、第１下面片７の先端部と第２下面片８の先端部は、一致している（つまり、第１下面片７と第２下面片８の折り曲げたときの長さは略同一である）。
そして、第２下面片８の囲い領域８１及び前領域８２の外面が、第１下面片７の外面に接着剤などの接着手段を用いて接着されている。
図６及び図７において、接着手段を層状に表し、その層に符号Ａを付している。
また、図９において、第２下面片８のうち、接着される領域を薄墨塗りで表す。
なお、囲い領域８１の外面全体及び前領域８２の外面全体が、第１下面片７にそれぞれ接着されていてもよいし、囲い領域８１の外面の一部分及び前領域８２の外面の一部分が、第１下面片７にそれぞれ接着されていてもよい。
【００３９】
最後に、糊代片４１を第１折り罫線１ａにおいて１８０度折り曲げ、該糊代片４１を正面壁２の他側部に接着することによって、図５に示すように、扁平状に折り畳まれた包装ケース１が得られる。
【００４０】
扁平状に折り畳まれた包装ケース１の筒状壁４を筒状に開いた後、筒状壁４の内部に物品１０を挿入する。或いは、扁平状に折り畳まれた包装ケース１の筒状壁４の上方開口からその内部に、物品１０を挿入しながら、筒状壁４を筒状に開く。
筒状壁４を筒状に開くと、第１下面片７は平坦面となったままで正面壁２の内面から離反しながら起立すると同時に、第２下面片８は、その中途部８ｃにおいて外向きに折れ曲がりながら起立する。
【００４１】
上記包装ケース１は、第２下面片８のうち囲い領域８１及び前領域８２が第１下面片７に接着されているので、図１〜図４に示すように、切り目９２にて分離した囲い領域８１及び前領域８２は、平坦面状の第１下面片７に沿って平坦面状である一方、第２下面片８は中途部８ｃにおいて折れ曲がり、後領域８３から囲い領域８１を除いた残部領域８４が、第１下面片７の外面から離反して、第１下面片７を下方から支持する。
なお、第１下面片７が起立したときには、第１フラップ片７６及び第２フラップ片７７が折れ曲がり、両フラップ片７６，７７が背面壁３の内面を押圧する。
【００４２】
本発明の包装ケース１においては、第２下面片８の中途部８ｃ全体に渡って折れ曲がらず、前記中途部８ｃの中央部から囲い領域８１が延出され、この囲い領域８１が前領域８２と共に第１下面片７に接着されている。このため、前領域８２の幅方向全体に折り目が生じず、第２下面片８の接着部分（囲い領域８１及び前領域８２）がピール剥離を生じ難い。
また、本発明の包装ケース１は、前領域８２だけでなく囲い領域８１も接着しているので、第２下面片８の全面積中に占める、第１下面片７への接着部分の面積割合が高くなる。このため、第２下面片８の接着部分が、第１下面片７から剥がれ難くなる。特に、本実施形態では、第１下面片７が略台形状に形成され、第１下面片７の上底側に第２下面片８の前領域８２が接着されるため、前領域８２の接着部分の面積が相対的に小さくなる。この点、上記切り目９２を形成することにより、囲い領域８１も接着部分となるので、略台形状の第１下面片７に接着された第２下面片８が剥がれ難くなる。
【００４３】
次に、本発明の包装ケースの他の実施形態を示す。
以下、他の実施形態について説明するが、上記実施形態と同様の構成及び効果についてはその説明を省略し、用語及び図番を援用する場合がある。
上記実施形態では、第１下面片７が正面壁２の下辺に連設され且つ第２下面片８が背面壁３の下辺に連設されているが、これとは反対に、第１下面片７が背面壁３の下辺に連設され且つ第２下面片８が正面壁２の下辺に連設されていてもよい。
【００４４】
また、上記実施形態では、第１下面片７は、平面視略台形状に形成されているが、第１下面片７は略台形状に限定されず、他の形状に変更することもできる。例えば、図１０に示すように、第１下面片７は、略台形片とこの略台形片の上底から延設された矩形片とからなる平面視形状に形成されていてもよい。このような形状の第１下面片７を有する包装ケース１の下面壁６は、図１１に示すように、平坦面状の正面壁２と円弧面状（又は多角形面状）の背面壁３を有する筒状壁４の下方開口を塞ぐことができる。
【００４５】
さらに、上記実施形態では、第２下面片８は、平面視略六角形状に形成されているが、第２下面片８は略六角形状に限定されず、他の形状に変更することもできる。例えば、図１０に示すように、第２下面片８は、平面視略矩形状に形成されていてもよい。
【００４６】
また、上記実施形態では、第２下面片８の面内に折り罫線が形成されていないが、例えば、図１０に示すように、囲い領域８１（切り目９２で囲われた領域）を除いた第２下面片８の中途部８ｃ上に、第２下面片８の幅方向に延びる第１５折り罫線１５ａが形成されていてもよい。
なお、切り目９２の両端部が第２下面片８の中途部８ｃ上に位置している場合には、図１０に示すように、前記第１５折り罫線１５ａは、切り目９２の両端部から第２下面片８の両側縁にまでそれぞれ形成される。
【００４７】
図１０に示すようなシート材１１も、上記実施形態と同様にして、第２下面片８の囲い領域８１及び前領域８２の外面を、第１下面片７の外面に接着することにより、図１１〜図１３に示す包装ケース１を得ることができる。
この包装ケース１も、上記実施形態と同様に、第２下面片８の接着部分（囲い領域８１及び前領域８２）がピール剥離を生じ難い。
特に、この包装ケース１は、前記切り目９２で囲われた領域を除いて、第２下面片８の中途部８ｃに、第２下面片８の幅方向に延びる第１５折り罫線１５が形成されている。このため、後領域８３の残部領域８４が、前記第１５折り罫線１５ａにおいて、前領域８２に対して折れ曲がり易くなる。従って、この包装ケース１は、第２下面片８の接着部分がピール剥離をより生じ難くくなる。
【００４８】
また、上記実施形態では、図６に示すように、第１下面片７の先端部と第２下面片８の先端部が一致するように、両片７，８が接着されているが、前記第１下面片７の先端部と第２下面片８の先端部は、一致していなくてもよい。例えば、第１下面片７の先端部が、第２下面片８の先端部よりも上方に延出した状態で、両片７，８が接着されていてもよいし、或いは、第２下面片８の先端部が、第１下面片７の先端部よりも上方に延出した状態で、両片７，８が接着されていてもよい。
【００４９】
また、上記実施形態では、正面壁２は平坦面とされているが、正面壁２は、平坦面状に限られず、正面壁２も背面壁３と同様に、外側に膨らむ円弧面（又は多角形面）とされていてもよい。本発明の包装ケース１は、背面壁３が円弧面（又は多角形面）とされているので、この形状に従って物品１０を筒状壁４の所定位置（例えば、筒状壁４の幅方向略中央部）に収納保持できる。
さらに、上記実施形態では、上面壁５及び下面壁６が略台形状に形成されているが、これに限定されず、上面壁５及び下面壁６は、例えば、筒状壁４の上方開口及び下方開口の形状に合わせて適宜変更可能である。
【産業上の利用可能性】
【００５０】
本発明の包装ケースは、各種の物品を収納するために使用できる。
【符号の説明】
【００５１】
１…包装ケース、２…正面壁、３…背面壁、４…筒状壁、５…上面壁、６…下面壁、７…第１下面片、８…第２下面片、８１…切り目で囲われた領域、８２…中途部から先端部までの領域、８ｃ…第２下面片の中途部、８ｄ…第２下面片の連設部、８ｅ…第２下面片の先端部、９２…切り目
【図１】
2011068376.tif 000003
【図２】
2011068376.tif 000004
【図３】
2011068376.tif 000005
【図４】
2011068376.tif 000006
【図５】
2011068376.tif 000007
【図６】
2011068376.tif 000008
【図７】
2011068376.tif 000009
【図８】
2011068376.tif 000010
【図９】
2011068376.tif 000011
【図１０】
2011068376.tif 000012
【図１１】
2011068376.tif 000013
【図１２】
2011068376.tif 000014
【図１３】
2011068376.tif 000015
【図１４】
2011068376.tif 000016
【図１５】
2011068376.tif 000017
【図１６】
2011068376.tif 000018
【図１７】
2011068376.tif 000019